(57)【要約】【課題】吸収性物品を着用した部位における湿潤環境下での皮膚コンディションの良否を精度よく評価できる方法を提供すること。【解決手段】表面シート及び吸収体を備えた吸収性物品に人工尿を吸収させて該表面シートを湿潤させた状態下に、該表面シートと皮膚とを当接させて、該吸収性物品の皮膚に対する摩擦係数を測定し、測定された該摩擦係数の大小に基づき、該吸収性物品を着用したときの、着用部位での皮膚コンディションの良否を評価する。【選択図】図６
2015139481.tif 000002
【特許請求の範囲】
【請求項１】
表面シート及び吸収体を備えた吸収性物品に人工尿を吸収させて該表面シートを湿潤させた状態下に、該表面シートと皮膚とを当接させて、該吸収性物品の皮膚に対する摩擦係数を測定し、測定された該摩擦係数の大小に基づき、該吸収性物品を着用したときの、着用部位での皮膚コンディションの良否を評価する、吸収性物品の着用部位での皮膚コンディションの評価方法。
【請求項２】
前記吸収性物品の前記表面シートとヒト前腕とを当接させて前記摩擦係数を測定する請求項１に記載の評価方法。
【請求項３】
前記表面シートを鉛直方向上方に向けた状態で、前記吸収性物品を摩擦係数測定装置の可動ステージ上に固定し、該吸収性物品の上にヒト前腕を載せ、
ヒト前腕は移動させず、該吸収性物品を該可動ステージとともにヒト前腕の長手方向に沿って前後に往復移動させて、前記摩擦係数を測定する請求項２に記載の評価方法。
【請求項４】
前記吸収性物品に人工尿を吸収させて湿潤させた状態の前記表面シートを、皮膚と擦過させたときの皮膚の角層剥離量と、前記摩擦係数との相関関係に基づき、該摩擦係数が小さいほど皮膚コンディションが良好であると判断する請求項１ないし３のいずれか一項に記載の評価方法。
【発明の詳細な説明】
【技術分野】
【０００１】
本発明は、吸収性物品を着用した部位における湿潤環境下での皮膚コンディションの良否を評価する方法に関する。
【背景技術】
【０００２】
吸収性物品が着用された部位における皮膚のコンディションを良好に保つための提案が種々行われている。皮膚のコンディションを良好にするための一つの手段として、吸収性物品における表面シートなどの肌対向面にスキンケア剤を塗布する手法が知られている（例えば特許文献１参照）。
【０００３】
表面シートなどの肌対向面にスキンケア剤を塗布した吸収性物品による皮膚コンディションの改善効果に関し、特許文献２には、バックシートの蒸気の透過性及び吸収性コアのコラーゲンリウェット値が影響することが記載されている。特許文献３には、吸収性物品を着用してスキンケア剤が移行した状態での着用者の皮膚に対する水の接触角と、吸収性物品を着用する前の着用者の皮膚に対する水の接触角とを比較し、その大小関係に基づきスキンケア効果を評価する方法が提案されている。
【先行技術文献】
【特許文献】
【０００４】
【特許文献１】特開２００２−０６５７２７号公報
【特許文献２】特表２００１−５１５７５４号公報
【特許文献３】特開２０１３−１１１３９６号公報
【発明の概要】
【発明が解決しようとする課題】
【０００５】
特許文献２及び３に記載の評価方法は、基本的に吸収性物品が液を吸収しておらず、表面シートが湿潤していない状態下で行われている。したがって、これらの特許文献に記載の評価方法は、皮膚からの水分の蒸散抑制、すなわち水分のバリア性の評価方法としては有用なものである。しかし、これらの特許文献に記載の評価方法は、吸収性物品の実際の装着環境、すなわち液を吸収及び保持して湿潤した環境で評価しているとは言えないので、吸収性物品が湿潤していることに起因して生じることのある肌の赤みの起こりやすさ等の湿潤環境下での皮膚コンディションの良否についての評価には馴染まない。
【０００６】
したがって本発明の課題は、吸収性物品を着用した部位における湿潤環境下での皮膚コンディションの良否を評価する方法を提供することにある。
【課題を解決するための手段】
【０００７】
本発明は、表面シート及び吸収体を備えた吸収性物品に人工尿を吸収させて該表面シートを湿潤させた状態下に、該表面シートと皮膚とを当接させて、該吸収性物品の皮膚に対する摩擦係数を測定し、測定された該摩擦係数の大小に基づき、該吸収性物品を着用したときの、着用部位での皮膚コンディションの良否を評価する、吸収性物品の着用部位での皮膚コンディションの評価方法を提供するものである。
【発明の効果】
【０００８】
本発明によれば、吸収性物品を着用した部位における湿潤環境下での皮膚コンディションの良否を精度よく評価することができる。したがって本発明の評価方法は、湿潤状態になっている吸収性物品を長時間着用しても、皮膚のかぶれ等が起こりにくい吸収性物品の設計の指針の一つとなるものである。
【図面の簡単な説明】
【０００９】
【図１】図１は、本発明において摩擦係数の測定の対象となる吸収性物品における表面シートの要部を示す斜視図である。
【図２】図２は、本発明において摩擦係数の測定の対象となる吸収性物品における表面シートの別の実施形態における要部を示す斜視図である。
【図３】図３（ａ）ないし（ｃ）は、本発明において摩擦係数の測定の対象となる吸収性物品における表面シートの更に別の実施形態における要部を示す断面図である。
【図４】図４は、本発明において摩擦係数の測定の対象となる吸収性物品における表面シートの更に別の実施形態における要部を示す斜視図である。
【図５】図５は、本発明において摩擦係数の測定の対象となる吸収性物品における表面シートのまた更に別の実施形態における要部を示す斜視図である。
【図６】図６は、吸収性物品の皮膚に対する摩擦係数を測定する状態を示す模式図である。
【図７】図７は、吸収性物品を皮膚に擦過させて角層を剥離させる状態を示す模式図である。
【図８】図８は、実施例で測定した摩擦係数と角層剥離量との相関関係を示すグラフである。
【発明を実施するための形態】
【００１０】
以下本発明を、その好ましい実施形態に基づき図面を参照しながら説明する。本発明において、皮膚コンディションの評価に用いられる吸収性物品は、少なくとも表面シート及び吸収体を有するものである。この吸収性物品は、更に裏面シートを備えていてもよい。表面シートは、着用者の皮膚に近い側に位置し、かつ着用者の皮膚に対向するように配置されている。裏面シートは、着用者の皮膚から遠い側に位置している。吸収体は、表面シートと裏面シートとの間に配置されている。吸収体は液保持性のものである。更に必要に応じ、吸収性物品における表面シート上の左右両側部には、一対の防漏カフが配置されることがある。
【００１１】
表面シート及び裏面シートとしては、当該技術分野においてこれまで用いられているものと同様のものを用いることができる。表面シートとしては、例えば液透過性を有する親水性の不織布や穿孔フィルムなどを用いることができる。これらの不織布やフィルムは一般に熱可塑性樹脂から構成されている。表面シートの具体例については、後述する図１ないし図５を参照して更に詳細に説明する。裏面シートとしては、例えば液不透過性のフィルムや、液難透過性の不織布などを用いることができる。液不透過性のフィルムは透湿性を有していてもよい。
【００１２】
吸収体としては、フラップパルプの積繊体や、フラッフパルプと高吸収性ポリマーとの混合積繊体を用いることができる。吸収体は、物品の全域にわたって同じ厚みを有していてもよく、あるいは一部分、例えば着用者の排泄部に対向する部分が他の部分よりも厚くなっていてもよい。吸収体の坪量に関しても同様であり、物品の全域にわたって同じ坪量を有していてもよく、あるいは一部分、例えば着用者の排泄部に対向する部分が他の部分よりも高坪量になっていてもよい。また、多数の高坪量部が低坪量部で区画されたブロック構造体からなる吸収体を用いることもできる。
【００１３】
本発明の評価方法においては、吸収性物品における表面シートと皮膚とを当接させて摩擦係数を測定する。したがって本発明で測定される吸収性物品の摩擦係数は、主として表面シートの性状に依存する。表面シートの性状とは、表面シートにおける着用者の皮膚との対向面（以下「着用者対向面」とも言う。）の表面形状（例えば平坦形状や凹凸形状など）及び表面シートを構成する繊維の種類（例えば繊維の太さ（dtex）など）のことである。
【００１４】
表面シートの着用者対向面の表面形状としては、当該技術分野においてこれまで種々のものが提案されている。例えば図１に示すとおり、最も一般的な表面シート１ａは、着用者対向面２が平坦になっているものである。図２に示す表面シート１ｂは、着用者対向面２が畝溝形状になっている。具体的には、表面シート１ｂは１枚の液透過性シートから構成されており、この液透過性シートに、一方向に延びる畝部３ａと、畝部３ａと同方向に延びる溝部３ｂとが交互に配置されている。それによって表面シート１ｂの着用者対向面２は、畝部３ａ及び溝部３ｂの延びる方向と直交する方向で見たときに、波形の凹凸形状になっている。
【００１５】
図３（ａ）ないし（ｃ）に示す表面シート１ｃは、図２に示す表面シート１ｂと同様に、畝部３ａ及び溝部３ｂを有している。図２に示す表面シート１ｂにおいては、畝部３ａ及び溝部３ｂはいずれも同じ厚みを有するものであったが、図３（ａ）ないし（ｃ）に示す表面シート１ｃでは、畝部３ａは、表面シート１ｃにおける相対的に厚みの大きな部位から構成されており、溝部３ｂは、表面シート１ｃにおける相対的に厚みの小さな部位から構成されている。また図３（ａ）においては、畝部３ａは、その延びる方向と直交する方向（図中、Ｘで示す方向）での断面において、着用者対向面２が、上に凸の滑らかな曲線を描く輪郭となっている。一方、着用者対向面２と反対の面２’が、下に凸の滑らかでかつ緩やかな曲線を描く輪郭となっている。図３（ｂ）においては、着用者対向面２と反対の面２’が、上に凸の滑らかでかつ緩やかな曲線を描く輪郭となっている。図３（ｃ）においては、着用者対向面２と反対の面２’が、平坦面になっている。
【００１６】
図４に示す表面シート１ｄは、着用者対向面２側に突出している複数の第１突出部４ａを有している。第１突出部４ａは、吸収体対向面２’側が開放されて空間が形成されている。また表面シート１ｄは、吸収体対向面２’側に突出している複数の第２突出部４ｂを有している。第２突出部４ｂは、着用者対向面２側が開放されて空間が形成されている。これらの第１，第２突出部４ａ，４ｂは、表面シート１ｄの例えば全面にわたって、平面視して互いに交差する異なる２方向のそれぞれに沿って交互に連続して配されている。異なる２方向とは、具体的一例として、異なる方向の一方向であるＸ方向と、このＸ方向と異なる他の一方向であるＹ方向である。図４に示す形態では、着用者対向面２側から見た凸部が第１突出部４ａであり、凹部が第２突出部４ｂとなる。逆に、吸収体対向面２’から見た凸部が第２突出部４ｂであり、凹部が第１突出部４ａとなる。したがって、第１突出部４ａと第２突出部４ｂとは一部が共有されている。第１，第２突出部４ａ，４ｂはそれぞれ頂部４ａＴ，４ｂＴを有している。頂部４ａＴ，４ｂＴは、丸みを持った円錐台形状ないし半球状に形成されている。
【００１７】
図５に示す表面シート１ｅは、これまでの表面シートと異なり、２枚のシートの積層体から構成されている。詳細には、表面シート１ｅは、積層された第１シート５ａ及び第２シート５ｂが部分的に接合されて複数の接合部６が形成されており、第１シート５ａが、複数の該接合部６で囲まれた非接合部において第２シートから離れる方向に突出して、内部が中空の凸部７を多数形成している複合シートである。凸部７は、表面シート１ｅの着用者対向面２側に突出している。表面シート１ｅの吸収体対向面２’側は、概ね平坦になっている。凸部７の内部は空洞になっている。凸部７はその底面が矩形である。また凸部７は、全体として稜線が丸みを帯びた扁平な直方体又は截頭四角錐体となっている。一方、接合部６も矩形となっている。凸部７及び接合部６は、交互にかつ一方向に列をなすように配置されている。具体的には、図５中、Ｘ方向に沿って凸部７及び接合部６が交互に配置され列をなしている。Ｙ方向に関しても同様であり、凸部７及び接合部６がＹ方向に沿って交互に配置され列をなしている。
【００１８】
以上の各表面シート１ａ〜１ｅを有するいずれの吸収性物品も、本発明の評価方法に用いられる。本発明においては、様々な表面形状を有する表面シートを備えた吸収性物品を用い、該吸収性物品と肌との摩擦係数を測定する。本発明においては、摩擦係数の測定に先立ち、吸収性物品に人工尿を吸収させて表面シートを湿潤状態にしておくことが重要である。これによって、実際の装着環境により近い状態で、吸収性物品と肌との摩擦係数を測定することができる。その結果、皮膚コンディションの評価を精度よく行うことができる。
【００１９】
吸収性物品に吸収させる人工尿としては公知の人工尿を用いることができる。例えば特開２００９−１７８４１１公報の段落〔００２５〕１１〜１６行目に記載の組成の人工尿が使用できる。この人工尿は、尿素１．９４質量％、塩化ナトリウム０．７９５質量％、硫酸マグネシウム０．１１質量％、塩化カルシウム０．０６２質量％、硫酸カリウム０．１９７質量％、赤色２号（染料）０．０１０質量％、水９６．８８質量％及びポリオキシエチレンラウリルエーテル（約０．０７質量％）であり、表面張力を５３±１ｄｙｎｅ／ｃｍ（２３℃）に調整したものである。
【００２０】
人工尿は、表面シートを上方に向けた状態で吸収性物品を平面状に水平に拡げ、その状態で１２０ｇを一括注入し、注入完了後１０分間放置する。注入量である１２０ｇは、吸収性物品が使い捨ておむつである場合には、典型的にはＭサイズの場合に特に好ましい。
【００２１】
人工尿を吸収性物品に吸収させるときには、表面シートを鉛直方向の上方に向けた状態下に、吸収体の長手方向及び幅方向の略中央部の位置に人工尿を供給する。人工尿を全量吸収させたら、吸収性物品を馴化させるために、１５℃以上２５℃以下及び３０％ＲＨ以上７０％ＲＨ以下の環境下に、５分以上３０分以下の時間にわたって放置して馴化を行う。
【００２２】
以上のようにして、吸収性物品に人工尿を吸収させて表面シートを湿潤状態にした後に、皮膚との摩擦係数を測定する。本発明の評価方法が、吸収性物品を着用したときの、着用部位での皮膚コンディションの良否に関するものであることを考慮すると、摩擦係数を測定するために用いられる身体の部位としては、吸収性物品が着用される部位を用いることが最も好ましい。つまり、身体の部位として、ヒトの腰部、臀部、鼠径部、下腹部などを選択し、当該部位の皮膚との摩擦係数を測定することが最も好ましい。しかし、それらの部位の皮膚と吸収性物品との摩擦係数を測定するには手間が掛かる場合が多い。そこで本発明者が鋭意検討したところ、これらの部位の代替部位として、ヒト成人の前腕を用いると、評価結果の再現性が高く、精度の高い評価を行い得ることが判明した。特にヒトの前腕内側は、腰部や臀部と皮膚の状態が近似しているので、本発明の評価方法の精度が一層高くなり有利である。
【００２３】
吸収性物品と皮膚との摩擦係数を測定するためにヒト前腕を用いる場合には、測定前に前腕を洗浄し、吸収性物品と当接する部位を清浄にした後に、当該部位を馴化させる。洗浄は、例えば市販のマイルドタイプの洗顔料を泡立てて前腕をよく洗い、水で十分にすすぐことで行う。その後、日本製紙クレシア（株）製のキムタオル（登録商標）で測定部位を軽く拭き取る。その後、１５℃以上２５℃以下及び３０％ＲＨ以上７０％ＲＨ以下の環境可変室で２０分以上６０分以下の時間にわたって馴化させる。
【００２４】
吸収性物品と皮膚との摩擦係数の測定には、例えばストレイン・ゲージを備えた市販の触感計を用いることができる。具体的には、新東科学株式会社から入手できる「トライボギア・シリーズ・ポータブル触感計・タイプ：３３」を用いることができる。尤もこの装置に限られず、他の装置を用いて摩擦係数を測定することは妨げられない。
【００２５】
図６には、前記のポータブル触感計を用いた摩擦係数の測定状態が模式的に示されている。触感計１００は、測定部本体１０１と、その上側に配置された可動ステージ１０２とを備えている。可動ステージ１０２は一軸又は二軸方向への運動が可能な構造になっている。可動ステージ１０２上には、測定対象となる吸収性物品Ａを載置する。吸収性物品Ａは、その表面シートを鉛直上方に向けた状態で、可動ステージ１０２に固定される。したがって、吸収性物品Ａは、可動ステージ１０２の動作と一緒に動作するようになっている。
【００２６】
このようにして可動ステージ１０２上に吸収性物品Ａが固定されたら、該吸収性物品Ａにおける表面シートの上にヒト前腕Ｂを載せる。このとき、図６に示すとおり、前腕内側の部位であって、かつ肘と手首の中央部位が吸収性物品Ａと当接するように、前腕Ｂを吸収性物品Ａの上に載せることが、信頼性の高い評価を行い得る点から好ましい。このとき、前腕Ｂは、吸収性物品Ａの上に載置しておくだけの状態にしておく。
【００２７】
前腕Ｂを吸収性物品Ａの上に載せた状態においては、前腕Ｂをできるだけ水平に保つことが、信頼性の高い評価を行い得る点から好ましい。この目的のために、図示しないジャッキを用い、該ジャッキの高さを、触感計１００の可動ステージ１０２の高さを概ね同じに調整し、そのような高さを調整したジャッキで手首から先の部位を支えておいてもよい。熟練した被験者であれば、ジャッキによる手の支えは不要である場合が多い。
【００２８】
触感計１００の可動ステージ１０２上に吸収性物品Ａを載置して固定することは先に述べたとおりであるところ、これとは対照的に、吸収性物品Ａの上に載せる前腕Ｂは、該吸収性物品Ａとは非固定の状態になっている。つまり前腕Ｂは、単に吸収性物品Ａの上に載っているだけの状態になっている。この理由は、吸収性物品Ａと前腕Ｂとの関係を、実際の着用状態の吸収性物品と、着用部位の皮膚との関係に極力近づけるためである。この目的のために、前腕Ｂの載置によって吸収性物品Ａに加わる圧力の程度が１９６Ｐａ（２ｇｆ／ｃｍ２）以上、特に２４５Ｐａ（２．５ｇｆ／ｃｍ２）以上となるようにすることが好ましい。具体的には、圧力の程度は１９６Ｐａ（２ｇｆ／ｃｍ２）以上３９２Ｐａ（４ｇｆ／ｃｍ２）以下、特に２４５Ｐａ（２．５ｇｆ／ｃｍ２）以上２９４Ｐａ（３ｇｆ／ｃｍ２）以下となるように前腕Ｂを吸収性物品Ａ上に載置することが好ましい。
【００２９】
吸収性物品Ａ及び前腕Ｂを以上の状態にセットしたら、触感計１００の可動ステージ１０２を動作させて、該可動ステージ１０２上の吸収性物品Ａを、前腕Ｂに対して移動させる。このとき、前腕Ｂは移動させないことに注意する。前腕Ｂに対する吸収性物品Ａの移動の方向は、可動ステージ１０２の移動方向に合わせて一軸方向でもよく、あるいは二軸方向でもよい。本発明者の検討の結果、前腕Ｂの長手方向に沿って、すなわち手首と肘とを結ぶ方向に沿って、吸収性物品Ａを前後に往復運動させると、比較的簡便に、かつ高い信頼性で評価を行い得ることが判明した。
【００３０】
前腕Ｂの長手方向に沿って吸収性物品Ｂを一軸方向に往復運動させる場合、往復運動の振動幅、すなわち、吸収性物品Ａが最も手首側に移動した状態と、吸収性物品Ａが最も肘側に移動した状態とでの移動量である振動幅が１５ｍｍ以上３０ｍｍ以下、特に２０ｍｍ以上２５ｍｍ以下であることが好ましい。
【００３１】
一方、吸収性物品Ａの一軸方向での移動の周期は、移動の振動幅が前記の範囲内であることを条件として、好ましい。具体的には、この周期は２秒以上４秒以下、特に２秒以上３秒以下であることが好ましい。
【００３２】
以上の周期での一軸方向での往復運動を１０回以上２０回以下、特に１０回以上１５回以下行うことが好ましい。
【００３３】
触感計１００によって測定される物理量は摩擦力である。この値を荷重で割ることによって摩擦係数が求められる。摩擦係数は、一つの種類の吸収性物品を６個用意し、異なる６人の被験者を対象として測定を行う。それらの算術平均値をもって、摩擦係数の値とする。
【００３４】
以上の手順で求められた摩擦係数の値の大小に基づき、測定に用いた吸収性物品を着用したと想定した場合の、着用部位での皮膚コンディションの良否を評価する。皮膚コンディションの良否の具体例としては、その吸収性物品を装着したときに皮膚に赤みがどの程度生じやすいか否かが挙げられる。湿潤した吸収性物品を長時間装着していると、肌水分量が増加していき、過剰水和状態の皮膚になりやすく、そのような状態においては皮膚の異物浸透性は高くなっている。そのような状態の皮膚に対して吸収性物品による擦れが生じると、皮膚に赤みが生じやすくなる。擦れが起こりにくい吸収性物品であれば、皮膚に赤みは生じにくい。皮膚との擦れの起こりやすさの程度は、吸収性物品の摩擦係数の大小に起因するから、吸収性物品の摩擦係数が小さいことは、該吸収性物品を着用したと想定した場合、着用部位での皮膚コンディションが良好であると評価できることを意味する。逆に、吸収性物品の摩擦係数が大きいことは、着用部位での皮膚コンディションが良好でないと評価できることを意味する。
【００３５】
吸収性物品を着用した部位での皮膚コンディションの良否は、該吸収性物品を皮膚と擦過させたときの皮膚の角層剥離量との相関関係に基づき一層精度よく評価できることが、本発明者の検討の結果判明した。角層剥離量は、その値が大きいほど、角層が剥離して皮膚の異物浸透性が増し、皮膚の赤みが増すことを意味する。そして、角層剥離量と皮膚の赤みの程度とは相関があるので、摩擦係数と角層剥離量との相関関係を表す検量線を予め作成しておけば、ある吸収性物品の摩擦係数を上述の方法で測定することで、その吸収性物品を実際に被験者に装着させることなく、その吸収性物品を装着した場合の皮膚のコンディションである赤みの発生の程度を定量的に予測することができる。
【００３６】
角層剥離量の測定は、次の方法で行う。まず、摩擦係数の測定のときに行った吸収性物品の湿潤操作と同様の手順で吸収性物品に人工尿を吸収させ、その後に馴化させる。また、摩擦係数の測定のときに行った皮膚の馴化操作と同様の操作で皮膚を馴化させる。対象となる皮膚は、吸収性物品の着用部位が好ましいことは、摩擦係数の測定の場合と同様であるが、測定の簡便さ等の観点から、例えばヒト前腕の皮膚を馴化させることが好ましい。次いで、馴化後の吸収性物品Ａを、図７に示すとおり、その表面シートが外方を向くように、円柱形のおもり１１０の底面に取り付け、かつ該おもり１１０の側面において吸収性物品Ａをゴム１１１でくくりつけて固定する。おもり１１０の底面の直径は５０ｍｍとする。この状態の吸収性物品を、ヒト成人の前腕内側に当接させ、その状態下に、おもり１１０を前腕の長手方向に沿って手で動かし、５ｃｍの長さの範囲を３０往復させて擦過を行う。次いで、吸収性物品Ａをおもり１１０から取り外し、表面シートに掻き取られた角層を抽出してタンパク質の定量を行う。これによって角層剥離量が求められる。タンパク質の定量には、例えばタンパク質加水分解アミノ酸分析法を用いることができる。
【００３７】
以上のとおり、本発明の評価方法によれば、吸収性物品を被験者に実際に装着させることなく、その吸収性物品を装着したと仮定した場合に、装着部位における皮膚コンディションを高い信頼性で予測することができる。したがって本発明の評価方法は、皮膚のかぶれ等の皮膚トラブルが起こりにくい吸収性物品の設計の指針の一つとなるものである。
【００３８】
本発明で摩擦係数を測定する対象である吸収性物品としては、例えば使い捨ておむつ、失禁パッド、補助パッド、生理用ナプキン、パンティライナ、おりものシートなど、当該技術分野における製品を広く包含する。
【００３９】
以上、本発明をその好ましい実施形態に基づき説明したが、本発明は前記実施形態に制限されない。例えば前記実施形態では、主として表面シートの種類が異なる複数種の吸収性物品を摩擦係数の測定対象として用いた場合を例にとり説明したが、これに代えて、又はこれに加えて、表面シートの種類は同じであるが、それに施されているスキンケア剤の種類や量、塗布パターンなどを種々変えた複数の吸収性物品を用意し、それらの吸収性物品を摩擦係数の測定対象として用い、皮膚コンディションを評価することもできる。
【００４０】
上述した実施形態に関し、本発明は更に以下の皮膚コンディション評価方法を開示する。
【実施例】
【００４１】
以下、実施例により本発明を更に詳細に説明する。しかしながら本発明の範囲は、かかる実施例に制限されない。
【００４２】
〔実施例１〕
摩擦係数の測定対象として、花王株式会社製の使い捨ておむつであるメリーズ（登録商標）妙而舒瞬爽透气Ｍサイズ（中国製）を用いた。このおむつの表面シートは、図４に示すとおり、１枚の不織布に多数の凹凸形状を有するものである。このおむつについて、上述の方法で、ヒト成人の前腕に対する摩擦係数を測定した。測定には、新東科学株式会社の「トライボギア・シリーズ・ポータブル触感計（型式「33固定台タイプ」）を用いた。また、摩擦係数の測定とは別に、このおむつについて、上述の方法で、ヒト成人の前腕の角層剥離量を測定した。測定は、６人のパネラーで行った。１人のパネラーについて一つのおむつの測定を行った。その結果を以下の表１に示す。摩擦係数及び角層剥離量の測定は、主として、表面シートにおける長手方向及び幅方向の中心域を用いて行った。
【００４３】
〔実施例２及び３〕
実施例１で用いたおむつに代えて、プロクター・アンド・ギャンブル・ジャパン株式会社の使い捨ておむつであるパンパース（登録商標）Ｍサイズを用いた（実施例２）。このおむつの表面シートは図１に示す形態のものである。またユニ・チャーム株式会社の使い捨ておむつであるマミーポコ（登録商標）Ｍサイズを用いた（実施例３）。このおむつの表面シートは図２に示す形態のものである。これ以外は実施例１と同様にして、摩擦係数及び角層剥離量を測定した。その結果を以下の表１に示す。
【００４４】
〔比較例１及び２〕
表面シートに人工尿を含ませない他は実施例１及び２と同様にして測定した。その結果を以下の表１に示す。
【００４５】
【表１】
2015139481.tif 000003
【００４６】
表１示す各実施例の結果をグラフにしたものを図８に示す。実施例１のおむつは、湿潤時の摩擦係数が低く、角層剥離量も抑えられ良好なものである。表１及び図８に示す結果から明らかなとおり、湿潤時の摩擦係数と角層剥離量との間には正の明確な相関関係があることが認められる。湿潤させないで測定した場合（比較例）、明確な相関関係は見られず判別しづらい。したがって本発明の評価方法が信頼性の高い方法であることが判る。
【符号の説明】
【００４７】
１００  触感計
１０１  測定部本体
１０２  可動ステージ
Ａ  吸収性物品
Ｂ  ヒト前腕
【図１】
2015139481.tif 000004
【図２】
2015139481.tif 000005
【図３】
2015139481.tif 000006
【図４】
2015139481.tif 000007
【図５】
2015139481.tif 000008
【図６】
2015139481.tif 000009
【図７】
2015139481.tif 000010
【図８】
2015139481.tif 000011